(57)【特許請求の範囲】
【請求項１】
躯体である建物の軒先に面した躯体壁（Ａ）面に固定される回り縁（２）に、軒樋（８）の底部を支持する軒樋収納ブラケット（３）をその先端部を軒先から屋外側へ張り出して取り付け、この軒樋収納ブラケット（３）の屋外側の外側面を化粧カバー（７）で覆うと共に当該ブラケットの下側に軒天パネル（１）を取り付ける構造において、
回り縁（２）を、その躯体壁（Ａ）面に取り付けられる躯体取付面（２ａ）の下端に軒樋収納ブラケット（３）の下面が載る載置面（２ｃ）を先端を屋外側へ張出して設けると共に当該載置面（２ｃ）の下側に屋外側へ開口した断面コ字状の嵌合部（２ｄ）を設けて形成し、
軒天パネル（１）を、その軒樋収納ブラケット（３）の下側を覆うプレート部（１ａ）の周縁を前記嵌合部（２ｄ）に嵌合する高さに上方へ垂直に立ち上げると共に、プレート部（１ａ）の屋外側の縁部に外側へ張出した固定片部（１ｂ）と固定片部（１ｂ）の端部を上方へ折り返してなる掛止部（１ｃ）を設けて形成し、
前記軒天パネル（１）のプレート部（１ａ）の建物側の端部を回り縁（２）の嵌合部（２ｄ）に嵌入させると共に、回り縁（２）に取り付けられた軒樋収納ブラケット（３）の先端部に掛止部（１ｃ）を係止させて軒天パネル（１）を仮固定しておき、
軒樋収納ブラケット（３）の屋外側の外側面に化粧カバー（７）を被せ、化粧カバー（７）下端の建物側へ折れた固定片部（７ａ）を軒天パネル（１）の固定片部（１ｂ）の下側に重ね、この重合部をビス止めして軒天パネル（１）と化粧カバー（７）を一体に固定することを特徴とする軒天パネルの取付け構造。
【発明の詳細な説明】
【０００１】
【発明の属する技術分野】
本発明は、取付作業の途中で軒天パネルを仮固定することができる軒天パネルの取付け構造に関する。
【０００２】
【従来の技術】
躯体である建物の軒先に軒樋を取り付けるための構造としては既に種々のものが開示されており、例えば、軒樋を受ける樋受部と、この樋受部を躯体壁に固定する躯体取付部と、化粧カバーを取付けるカバー固定部と、軒天パネルを固定する軒天支持部とを一体に形成したブラケットを躯体壁に所定間隔で固定し、各ブラケットに軒樋を差し渡して軒樋を取付けた構成のものがあった。
【０００３】
【発明が解決しようとする課題】
しかし、従来の軒先構造は、取付作業において軒天パネルを仮に固定できる構造を有していなかったため、軒天パネルを取付ける場合には、軒天パネルを片手で軒天側に押し付けながら固定作業をするか、或いは２人で作業をする必要があった。
【０００４】
そこで、本発明は、かかる問題点に着目し、取付作業において軒天パネルを仮に固定しておくことができる構造を備えた軒天パネルの取付け構造を提供せんとする。
【０００５】
【課題を解決するための手段】
かかる課題を解決するため、本発明は、躯体である建物の軒先に面した躯体壁面に固定される回り縁に、軒樋の底部を支持する軒樋収納ブラケットをその先端部を軒先から屋外側へ張り出して取り付け、この軒樋収納ブラケットの屋外側の外側面を化粧カバーで覆うと共に当該ブラケットの下側に軒天パネルを取り付ける構造において、
回り縁を、その躯体壁面に取り付けられる躯体取付面の下端に軒樋収納ブラケットの下面が載る載置面を先端を屋外側へ張出して設けると共に当該載置面の下側に屋外側へ開口した断面コ字状の嵌合部を設けて形成し、
軒天パネルを、その軒樋収納ブラケットの下側を覆うプレート部の周縁を前記嵌合部に嵌合する高さに上方へ垂直に立ち上げると共に、プレート部の屋外側の縁部に外側へ張出した固定片部と固定片部の端部を上方へ折り返してなる掛止部を設けて形成し、前記軒天パネルのプレート部の建物側の端部を回り縁の嵌合部に嵌入させると共に、回り縁に取り付けられた軒樋収納ブラケットの先端部に掛止部を係止させて軒天パネルを仮固定しておき、次いで軒樋収納ブラケットの屋外側の外側面に化粧カバーを被せ、化粧カバー下端の建物側へ折れた固定片部を軒天パネルの固定片部の下側に重ね、この重合部をビス止めして軒天パネルと化粧カバーを一体に固定することを特徴とする。
【０００６】
【発明の実施の形態】
以下、図面を用いつつ本発明の軒天パネルの取付け構造について説明する。
【０００７】
図１及び図２は、本発明の軒天パネルの取付け構造の一実施例を適用した軒樋の取付構造を示したものであり、１は軒天パネル、２は軒天パネル１の仮固定構造を備えた回り縁、３は、張出ブラケット４、内側ブラケット５及び外側ブラケット６からなり、軒先に軒樋受け部を形成する軒樋収納ブラケット、７は化粧カバー、８は軒樋、９は勾配調整材Ｂを被覆する鼻隠し、１０は雨水を軒樋１に案内する水切りである。
【０００８】
先ず、上記軒天パネル１は、図３に示すように、軒樋取付方向に長尺なプレート部１ａの外側縁部に固定片部１ｂを張出し、この固定片部１ｂにビス孔を穿設すると共に、固定片部１ｂの外側端を上方に折り返して掛止部１ｃを形成して構成してある。プレート部１ａの周縁は、回り縁２の嵌合部２ｄに嵌合する高さに上方へ垂直に立ち上げてある。
【０００９】
次に、上記回り縁２は、図３に示すように、躯体取付面２ａの上端部を一側に折り返して係止受け部２ｂを形成し、躯体取付面２ａの下端から先端側を張出して軒樋収納ブラケット３の下面が載る載置面２ｃを形成し、この載置面２ｃの下側に上記軒天パネル１の建物側の端部である内側縁部を嵌合可能な断面コ字状の嵌合部２ｄを形成し、前記係止受け部２ｂ、載置面２ｃ間で張出ブラケット４の内側端部（基端部）を支持すると共に、嵌合部２ｄで軒天パネル１の内側縁部を支持することができるように構成してあり、図１及び図２に示すように、この回り縁２は、躯体取付面２ａを固着して躯体壁Ａに取付けてある。
【００１０】
また、その底面板を躯体壁Ａから張出してなる軒樋収納ブラケット３の張出ブラケット４は、図４に示すように、上端部を係止部４ｂとした固定面４ａを基端部としてその下端から一側に張出底面４ｃを形成し、この張出底面４ｃの左右一側縁に沿って固定面４ａから張出底面４ｃ外側端付近まで張出側面４ｄを立設すると共に、張出底面４ｃの基部側上方を覆うようにその２辺を固定面４ａ及び張出側面４ｄに連結した張出上面４ｅを形成し、前記張出側面４ｄの外側端寄りに水平方向（内外方向）に長尺な長孔４ｆ、４ｆを穿設し、前記張出上面４ｅの外側端寄りに内外方向に長尺な長孔を穿設し、前記固定面４ａにビス孔を穿設してなっており、図１及び図２に示すように、上記回り縁２の係止受け部２ｂに係止部４ｂを差し込むと共に載置面２ｃに張出底面４ｃを載置し、張出底面４ｃ先端部を屋外側に張出した状態で固定面４ａを上記回り縁２の躯体取付面２ａを介して躯体壁Ａに固定して取付けてある。
【００１１】
上記構成において、回り縁２の嵌合部２ｄにプレート部１ａ内側縁部を嵌入させると共に、軒天パネル１の掛止部１ｃを張出ブラケット４の張出底面４ｃ先端部に係止させるだけで軒天パネル１を略水平状態に仮固定することができる。したがって、取付作業中に一人の作業者が容易に軒天パネル１を仮固定しておくことができ、例えば図２に示すように、軒天パネル１を仮固定した状態で、カバー被着部を兼ねた外側ブラケット６に化粧カバー７を被着し、この化粧カバー７下端の建物側へ折れた固定部７ａを軒天パネル１の固定片部１ｂに重ね、この重合部を張出ブラケット４の張出底面４ｃにビス止めすることにより、軒天パネル１及び化粧カバー７を固定し取付けることができる。
【図面の簡単な説明】
【図１】本発明の一実施例を適用した軒樋取付構造を示した斜視図である。
【図２】図１の側断面図である。
【図３】図１における回り縁に対する軒天パネルの取付けを示した分解斜視図である。
【図４】図１における回り縁及び張出ブラケットに対する軒天パネルの取付け構造を示した斜視図である。
【符号の説明】
Ａ 躯体壁
Ｂ 勾配調整材
Ｃ 屋根パネル
１ 軒天パネル
２ 回り縁
４ 張出ブラケット
８ 軒樋
【図１】
0003756628.tif 000002
【図２】
0003756628.tif 000003
【図３】
0003756628.tif 000004
【図４】
0003756628.tif 000005